(57)【要約】【課題】  ２連入賞口の各入賞口に対応した２つの球誘導路を容易に形成し、球検出スイッチの誤検出を防止する。【解決手段】  本発明に係る弾球遊技機１は、遊技領域１１に設けられ、２個の入賞口３２，３２’，３３，３３’が隣接して形成された２連入賞口１０，１０’と、遊技盤６の背面側に設けられ、２連入賞口の各入賞口に対応して第１球誘導路３７，３７’と第２球誘導路３８，３８’とが形成された内カバー２９と、第１球誘導路及び第２球誘導路から落下した遊技球３４を受け止め、集合させ、所定の球排出経路へ誘導する球集合樋部６０が形成されたベニヤカバー３０とを備えており、第１球誘導路を流下した遊技球と第２球誘導路を流下した遊技球とは球集合樋部６０において前後方向の異なる位置に落下するように構成されていることを特徴とする。【選択図】  図５
2005304533.tif 000002
【特許請求の範囲】
【請求項１】
遊技盤の前面側に遊技領域が形成された弾球遊技機であって、
前記遊技領域に設けられ、２個の入賞口が隣接して形成された２連入賞口と、
前記遊技盤の背面側に設けられ、前記２連入賞口の各入賞口に対応して第１球誘導路と第２球誘導路とが形成された内カバーと、
前記第１球誘導路及び前記第２球誘導路から落下した遊技球を受け止め、集合させ、所定の球排出経路へ誘導する球集合樋部が形成されたベニヤカバーと、
を備えており、前記第１球誘導路を流下した遊技球と前記第２球誘導路を流下した遊技球とは前記球集合樋部において前後方向に異なる位置に落下するように構成されていることを特徴とする弾球遊技機。
【請求項２】
前記第１球誘導路及び前記第２球誘導路にはそれぞれ球検出スイッチが設けられており、該各球検出スイッチは、前記第１球誘導路及び前記第２球誘導路を流下した遊技球の前記球集合樋部に対する落下位置から所要距離、離間して設けられている請求項１に記載の弾球遊技機。
【発明の詳細な説明】
【技術分野】
【０００１】
本発明は、遊技盤の前面側に遊技領域が形成された弾球遊技機に関し、特に、遊技領域に２連入賞口が配設された弾球遊技機に関する。
【背景技術】
【０００２】
従来の弾球遊技機として、遊技盤の遊技領域に配設された図柄表示装置の下方に２連入賞口を備えたパチンコ遊技機が知られている。
【０００３】
この種のパチンコ遊技機には、遊技盤の背面側に、２連入賞口の各入賞口に対応するように第１球誘導路と第２球誘導路が形成された内カバーが備えられており、これらの第１球誘導路と第２球誘導路の各球出口は左右隣接した位置に並設されている。また、この内カバーの背面側にはベニヤカバーが設けられており、ベニヤカバーには、内カバーの下方において、各球出口から落下した入賞球を受け止め、集合させるために球集合樋部が形成されている。
【０００４】
このような構成において、弾球遊技機の２連入賞口の各入賞口に入賞した遊技球は、内カバーの第１球誘導路又は第２球誘導路を流下し、内カバーに取り付けられた球検出スイッチにより入賞を検出された後、各球出口からベニヤカバーの球集合樋部に落下し、所定の球排出経路へ誘導されるようになっている（例えば、特許文献１参照）。
【０００５】
【特許文献１】特開平５−６８７３４号公報
【発明の開示】
【発明が解決しようとする課題】
【０００６】
しかしながら、上記した従来の弾球遊技機では、近年における図柄表示装置の大型化に伴い、２連入賞口を遊技領域の低い位置に配置せざるを得ない状況になってきている。このような理由から、２連入賞口の位置に応じて内カバーも遊技盤の背面側の低い位置に取り付けなければならず、２連入賞口の背面側とベニヤカバーの球集合樋部との間のスペースを十分に確保することができず、内カバーにおいて第１球誘導路と第２球誘導路の２つの球誘導路を形成させることがスペース的に困難になってきている。
【０００７】
また、上記した理由と同様の理由により、ベニヤカバーの球集合樋部に入賞球が落下する位置と内カバーの球検出スイッチの設置位置との離隔距離を十分にとることができなくなってきているため、一度、球検出スイッチを通過し、球集合樋部に落下した球が跳ね上がり、再度、球検出スイッチを通過し、球検出スイッチが１個の球を２個の球が通過したと誤検出するといった問題も生じている。
【０００８】
本発明は、上記した課題を解決すべくなされたものであり、２連入賞口の各入賞口に対応した２つの球誘導路を容易に形成させることができ、球検出スイッチの誤検出を防止することができる弾球遊技機を提供しようとするものである。
【課題を解決するための手段】
【０００９】
本発明は、遊技盤６の前面側に遊技領域１１が形成された弾球遊技機１であって、遊技領域１１に設けられ、２個の入賞口３２，３２’，３３，３３’が隣接して形成された２連入賞口１０，１０’と、遊技盤６の背面側に設けられ、２連入賞口１０，１０’の各入賞口３２，３２’，３３，３３’に対応して第１球誘導路３７，３７’と第２球誘導路３８，３８’とが形成された内カバー２９と、第１球誘導路３７，３７’及び第２球誘導路３８，３８’から落下した遊技球３４を受け止め、集合させ、所定の球排出経路へ誘導する球集合樋部６０が形成されたベニヤカバー３０とを備えており、第１球誘導路３７，３７’を流下した遊技球３４と第２球誘導路３８，３８’を流下した遊技球３４とは球集合樋部６０において前後方向の異なる位置に落下するように構成されていることを特徴とする。
【００１０】
そして、好ましくは、第１球誘導路３７，３７’及び第２球誘導路３８，３８’にはそれぞれ球検出スイッチ６２，６２’が設けられており、各球検出スイッチ６２，６２’は、第１球誘導路３７，３７’及び第２球誘導路３８，３８’を流下した遊技球３４の球集合樋部６０に対する落下位置から所要距離、離間して設けられているのがよい。
【発明の効果】
【００１１】
本発明によれば、スペース的に余裕のある内カバーの後方の空間を利用して、第１球誘導路を流下した遊技球と第２球誘導路を流下した遊技球とが球集合樋部において前後方向の異なる位置に落下するように構成されているため、２連入賞口の各入賞口に対応させて第１球誘導路と第２球誘導路の２つの経路を容易に形成させることができる。
【００１２】
また、球検出スイッチは、第１球誘導路及び第２球誘導路を流下した各遊技球の落下位置から所要距離、離間して設けられているため、球検出スイッチが遊技球を誤って２度検出するおそれはなく、遊技球の検出精度を高めることができ、製品の信頼性の向上を図ることができる。
【発明を実施するための最良の形態】
【００１３】
以下、図面を参照しつつ、本発明の実施の形態について説明する。なお、以下の説明では、本発明をパチンコ遊技機に適用した場合について例示して説明する。
【００１４】
先ず、図１〜図３を参照しつつ、本発明の実施の形態におけるパチンコ遊技機の概略構成について説明する。ここで、図１はパチンコ遊技機を示す正面図、図２はパチンコ遊技機を示す背面図、図３は主基板を取り外した状態の遊技盤を示す背面図である。
【００１５】
このパチンコ遊技機１は、方形枠状の外枠２と、遊技機の機体となる前枠３とを備えており、前枠３は、外枠２の正面左側上下に設けられたヒンジ金具４ａ，４ｂにより外枠２に対して開閉可能に取り付けられていると共に、外枠２の正面右側に設けられた施錠装置５により閉鎖状態に保持されるようになっている。前枠３には、遊技盤６が収容されており、遊技盤６の前面側には、略中央部に図柄表示装置２８の表示部７が配設され、その表示部７の下方に、始動入賞口８や大入賞口９、それぞれ２個の入賞口３２，３２’，３３，３３’が隣接して並設された２連入賞口１０，１０’等の各種入賞口がそれぞれ配設され、遊技領域１１が形成されている。また、遊技領域１１の最下部には、上記各入賞口８，９，１０，１０’に入賞せずに落下したアウト球を排出させるアウト口１２が設けられており、アウト口１２に集められたアウト球は遊技盤６の裏面側を通って機外に排出されるようになっている。
【００１６】
前枠３の正面側には、ガラス扉１３及び球皿１４が開閉可能且つ着脱可能に取り付けられており、これらは施錠装置５及び球皿施錠装置（図示せず）により閉鎖状態に保持されるようになっている。そして、球皿１４の正面右側下部には発射ハンドル１５が設けられており、発射ハンドル１５を正面から見て時計回り方向に回転させることにより、球皿１４から供給された遊技球が遊技領域１１に発射されるようになっている。
【００１７】
一方、前枠３の背面側には、裏セット盤１６が複数（図２では５個）のレバー１７により着脱可能に設けられており、その裏セット盤１６には、予備賞球を貯留する球貯留タンク１８、遊技球を整列状態で待機させる待機通路１９、遊技盤６での入賞状態等に基づき賞球を払い出す球払出装置２０、球払出装置２０から払い出された賞球を球皿１３に排出するための球払出通路２１等の賞球装置が装備されていると共に、電源装置２２や払出制御装置２３等の各種回路基板及び電子部品等が取付けられている。
【００１８】
また、前枠３の背面側には、周辺部に所要数（図３では４箇所）のルータ２４が形成されており、ルータ２４に固定具２５を取り付けることにより遊技盤６が前枠３に固定されるようになっている。さらに、前枠３の背面側及び裏セット盤１６には、それぞれ開口部２６，２７が形成されており、遊技盤６の背面には、その開口部２６，２７を介して、上部に図柄表示装置２８が取り付けられていると共に、下部に内カバー２９（例えば、図４参照）及びベニヤカバー３０が取り付けられており、ベニヤカバー３０の背面には、さらに主基板３１が取り付けられている。
【００１９】
次に、図４〜図１１を参照しつつ、本実施の形態に係るパチンコ遊技機における内カバー及びベニヤカバーについて説明する。ここで、図４は本発明の実施の形態に係るパチンコ遊技機の遊技盤の下部を示す背面図（但し、ベニヤカバーを想像線で示している。）、図５はパチンコ遊技機の内カバーを示す背面斜視図、図６はパチンコ遊技機の内カバーを示す正面斜視図、図７はパチンコ遊技機の内カバー及びベニヤカバーを示す正面図、図８は図３のＡ−Ａ矢視図、図９は図３のＢ−Ｂ矢視図、図１０は図３のＣ−Ｃ矢視図、図１１は図３のＤ−Ｄ矢視図である。
【００２０】
内カバー２９は合成樹脂製であり、所要数（図示では４箇所）の取付孔３６を介して遊技盤６の背面にネジ止めにより固定されるようになっている。内カバー２９の両側には、２連入賞口１０，１０’の各入賞口３２，３３，３２’，３３’に対応して、それぞれ、外側から第１球誘導路３７、第２球誘導路３８、及び第１球誘導路３７’，第２球誘導路３８’が形成されている。そして、図５に良く示されているように、背面視右側の外側の第１球誘導路３７の下端には後方傾斜路４１が後方に突設されており、後方傾斜路４１の後端に第１球誘導路３７の球出口４２が開口されている。
【００２１】
一方、図６に良く示されているように、その内側の第２球誘導路３８、正面視右側の第１球誘導路３７’及び第２球誘導路３８’の各球出口４３，４２’，４３’はそれぞれ内カバー２９の下面に開口されている。そして、内側の第２球誘導路３８の球出口４３には、遊技球３４が内側に向かって落下可能なように湾曲路３５が形成されており、外側の第１球誘導路３７を流下した遊技球３４と内側の第２球誘導路３８を流下した遊技球３４とでは落下位置が前後方向において異なるようになっている。
【００２２】
また、第１球誘導路３７，３７’及び第２球誘導路３８，３８’にはそれぞれ球検出スイッチ取付部３９，３９’、４０，４０’が形成されており、球検出スイッチ取付部３９，３９’、４０，４０’に球検出スイッチ６２，６２’（図７参照）が着脱可能となっている。そして、第１球誘導路３７及び第２球誘導路３８の球検出スイッチ取付部３９，４０は、後方傾斜路４１及び湾曲路３５のそれぞれ上方に形成されており、各球検出スイッチ６２は第１球誘導路３７及び第２球誘導路３８の各球出口４２，４３から所要距離、離間して取り付けられるようになっている。
【００２３】
内カバー２９の中央部には、矩形の始動入賞口用開口部４４が形成されており、始動入賞口用開口部４４には遊技盤６に貫設された始動入賞口８の背面側が遊嵌するようになっている。また、内カバー２９の背面側には、始動入賞口用開口部４４の背面視左側に中継端子盤取付部４５が形成されており、中継端子盤取付部４５に中継端子盤４６が装着可能となっている。中継端子盤取付部４５は、上下左右に立設された前方支持部４７，４８，４９，５０と、上部両側に形成された後方支持部５１と、上側前方支持部４７の中央に突設された位置決め突起５２と、下側前方支持部４８の両側に立設された係止爪部５３と、左右両側の前方支持部４９，５０の外側にそれぞれ形成された側方支持部５４，５５とから構成されている。
【００２４】
また、内カバー２９の背面側には、配線を束ねるための配線集合フック５６が所要数（図示では４個）、形成されている。さらに、内カバー２９の下面には下方に向かって三角形状の球侵入防止壁５７，５７’が左右一対で形成されており、左右の球侵入防止壁５７，５７’の間には遊技盤６に貫設された大入賞口９の背面側が配設されている。そして、この左右の球侵入防止壁５７，５７’により、２連入賞口１０，１０’に入賞した遊技球３４が大入賞口９の裏側の部品に当って誤動作するのを防止できるようになっている。
【００２５】
ベニヤカバー３０は合成樹脂製であり、上面側及び前面側が開放された箱状を成しており、外周部に形成されたフランジ部５８を介して、内カバー２９を囲繞するように遊技盤６の背面にネジ止めにより固定されるようになっている。また、ベニヤカバー３０の背面には、主基板支持部６１が突設されており、主基板支持部６１に係止することにより主基板３１がベニヤカバー３０の背面側に固定されるようになっている。
【００２６】
ベニヤカバー３０の底面には、略中央部に球排出口５９が形成されていると共に、この球排出口５９に向かって傾斜する球集合樋部６０，６０’が形成されており、第１球誘導路３７，３７’及び第２球誘導路３８，３８’の各球出口４２，４２’、４３，４３’から落下した遊技球３４が球排出口５９に誘導されるようになっている。
【００２７】
図４に良く示されているように、第１球誘導路３７及び第２球誘導路３８の下方にはルータ２４が形成されているため、第１球誘導路３７及び第２球誘導路３８側の球集合樋部６０は第１球誘導路３７及び第２球誘導路３８の各球出口４２，４３に非常に近接して形成されている。しかしながら、上記したように、スペース的に余裕のある内カバー２９の後方の空間を利用して、第１球誘導路３７の下端に後方傾斜路４１を突設し、第１球誘導路３７を流下した遊技球３４と第２球誘導路３８を流下した遊技球３４とが球集合樋部６０において前後方向の異なる位置に落下するように構成されているため、２連入賞口１０の各入賞口３２，３３に対応するように、第１球誘導路３７と第２球誘導路３８の２つの経路を容易に形成させることができる。
【００２８】
一方、第１球誘導路３７’及び第２球誘導路３８’の下方にはルータ２４が形成されていないため、第１球誘導路３７’及び第２球誘導路３８’側の球集合樋部６０’は第１球誘導路３７’及び第２球誘導路３８’の各球出口４２’，４３’から高さ方向に所要距離、離間した位置に形成されている。したがって、スペース的に余裕があるため、２連入賞口１０’の各入賞口３２’，３３’に対しても、第１球誘導路３７’と第２球誘導路３８’の２つの経路を容易に形成させることができる。
【００２９】
次に、本発明の実施の形態に係るパチンコ遊技機１において、２連入賞口１０，１０’に遊技球３４が入賞した場合の作用について説明する。
【００３０】
発射ハンドル１５の操作により、遊技領域１１に発射された遊技球３４が、一方の２連入賞口１０の外側の入賞口３２に入賞すると、図８及び図１０に示すように、遊技球３４は、第１球誘導路３７を流下し、球検出スイッチ６２を通過し、その入賞口３２への遊技球３４の入賞が検出される。その後、この遊技球３４は、後方傾斜路４１を後方に転動し、球出口４２から球集合樋部６０に落下し、球排出口５９を通って、所定の球排出経路に誘導される。この場合、遊技球３４は、後方傾斜路４１を転動した後、後方に落下し、落下時の落差があまりないため、落下時に球集合樋部６０において高く跳ね上がることがないと共に、球検出スイッチ６２は球出口４２から所要距離、離間して取り付けられている。そのため、球検出スイッチ６２が１個の遊技球３４を誤って２度検出することはない。
【００３１】
また、遊技球３４が、一方の２連入賞口１０の内側の入賞口３３に入賞した場合には、図９及び図１０に示すように、遊技球３４は、第２球誘導路３８を流下し、球検出スイッチ６２を通過し、その入賞口３３への遊技球３４の入賞が検出される。その後、この遊技球３４は、湾曲路３５を転動し、球出口４３から球集合樋部６０に落下し、球排出口５９を通って、所定の球排出経路に誘導される。この場合、球出口４３付近に湾曲路３５が形成されていると共に、落下時の落差があまりないため、遊技球３４が落下時に球集合樋部６０において高く跳ね上がることがなく、さらに、球検出スイッチ６２は球出口４３から所要距離、離間して取り付けられている。したがって、この場合も、球検出スイッチ６２が１個の遊技球３４を誤って２度検出することはない。
【００３２】
一方、遊技球３４が、他方の２連入賞口１０’のいずれかの入賞口３２’又は３３’に入賞した場合には、遊技球３４は、第１球誘導路３７’又は第２球誘導路３８’を流下し、球検出スイッチ６２’を通過し、その入賞口３２’又は３３’への遊技球３４の入賞が検出される。その後、この遊技球３４は、球出口４２’，４３’から球集合樋部６０’に落下し、球排出口５９を通って、所定の球排出経路に誘導される。この場合、球出口４２’，４３’は球集合樋部６０’から高さ方向に所要距離、離間した位置において設けられているため、この遊技球３４が、落下時に球集合樋部６０’において跳ね上がったとしても球検出スイッチ６２’が１個の遊技球３４を誤って２度検出することはない。
【００３３】
このように、遊技球３４が２連入賞口１０，１０’のいずれの入賞口３２，３２’，３３，３３’に入賞したとしても、球検出スイッチ６２，６２’が遊技球３４を誤って２度検出するおそれはなく、遊技球３４の検出精度を高めることができ、製品の信頼性の向上を図ることができる。
【００３４】
なお、上記実施の形態においては、第１球誘導路３７を流下した遊技球３４が第２球誘導路３８を流下した遊技球３４より後方に落下するように構成されているが、例えば、第２球誘導路３８の下端に後方傾斜路４１を形成させ、第２球誘導路３８を流下した遊技球３４が第１球誘導路３７を流下した遊技球３４より後方に落下するように構成させる等、各種変更が可能であり、第１球誘導路３７を流下した遊技球３４と第２球誘導路３８を流下した遊技球３４とが球集合樋部６０において前後方向の異なる位置に落下するように構成されていればよい。
【００３５】
また、ベニヤカバー３０は、遊技盤６の背面に固定されているが、前枠３の背面側や裏セット盤１６等、他の部材に固定されるように構成させてもよい。
【００３６】
さらに、上記実施の形態では、本発明をパチンコ遊技機に適用した場合について説明したが、これは単なる例示に過ぎず、本発明は、アレンジボール遊技機等、パチンコ遊技機以外の弾球遊技機にも適用可能であることは言う迄もない。
【図面の簡単な説明】
【００３７】
【図１】本発明の実施の形態に係るパチンコ遊技機を示す正面図である。
【図２】本発明の実施の形態に係るパチンコ遊技機を示す背面図である。
【図３】本発明の実施の形態に係るパチンコ遊技機において主基板を取り外した状態の遊技盤を示す背面図である。
【図４】本発明の実施の形態に係るパチンコ遊技機において遊技盤の下部を示す背面図である。
【図５】本発明の実施の形態に係るパチンコ遊技機における内カバーを示す背面斜視図である。
【図６】本発明の実施の形態に係るパチンコ遊技機における内カバーを示す正面斜視図である。
【図７】本発明の実施の形態に係るパチンコ遊技機における内カバー及びベニヤカバーを示す正面図である。
【図８】図３のＡ−Ａ矢視図である。
【図９】図３のＢ−Ｂ矢視図である。
【図１０】図３のＣ−Ｃ矢視図である。
【図１１】図３のＤ−Ｄ矢視図である。
【符号の説明】
【００３８】
１                パチンコ遊技機
６                遊技盤
１０，１０’      ２連入賞口
１１              遊技領域
２９              内カバー
３０              ベニヤカバー
３２              入賞口
３３              入賞口
３４              遊技球
３７，３７’      第１球誘導路
３８，３８’      第２球誘導路
６０，６０’      球集合樋部
【図１】
2005304533.tif 000003
【図２】
2005304533.tif 000004
【図３】
2005304533.tif 000005
【図４】
2005304533.tif 000006
【図５】
2005304533.tif 000007
【図６】
2005304533.tif 000008
【図７】
2005304533.tif 000009
【図８】
2005304533.tif 000010
【図９】
2005304533.tif 000011
【図１０】
2005304533.tif 000012
【図１１】
2005304533.tif 000013